(57)【特許請求の範囲】
【請求項１】
筺体の一面に形成された開口を覆うとともに前記筺体に係止されて回動が禁止されるロック位置と、前記筺体による係止が解除される解除位置との間でスライド操作され、前記解除位置を経て前記開口を露呈させる開放位置に回動する蓋の開閉機構において、
前記蓋が前記ロック位置から前記解除位置にスライド移動された時に、このスライド方向側の端部を支点として前記蓋を回動させる回動機構を備え、
前記蓋は、前記一面内でスライド移動されるように、前記筺体によって保持され、
前記回動機構は、前記端部または前記筺体の一方に設けられ、前記蓋のスライド方向と直交するように配置された回動軸と、他方に設けられ、前記スライド方向に沿って形成され、前記回動軸の両端部と係合される２つの長穴とで構成され、
前記回動軸に挿通され、前記開口を覆う位置から前記開放位置に向けて前記蓋を付勢するトーションバネを備え、前記トーションバネの一端は、前記蓋の内面に当接され、他端は、前記筐体に当接され、前記蓋が前記ロック位置と前記解除位置との間で移動する時に、前記一端または前記他端が摺接する摺接面は、前記回動軸側に行くに従って前記蓋と前記保持部との間隔が広がるように傾斜されていることを特徴とする蓋の開閉機構。
【請求項２】
前記蓋の内面側に形成された突起と、前記筺体に形成され、前記蓋が前記ロック位置に移動された時に前記突起を係止し、前記解除位置に移動された時に前記突起から退避する係止突起とを備え、前記蓋が前記解除位置よりも前記ロック位置側にある状態で、前記蓋を前記開放位置から前記開口を覆う位置に移動させた時に前記突起と前記係止突起とが互いに当接する当接面が、前記回動軸側に行くに従って前記蓋との間隔が広がるように傾斜されていることを特徴とする請求項１記載の蓋の開閉機構。
【請求項３】
筺体の一面に形成された開口を覆うとともに前記筺体に係止されて回動が禁止されるロック位置と、前記筺体による係止が解除される解除位置との間でスライド操作され、前記解除位置を経て前記開口を露呈させる開放位置に回動する蓋の開閉機構において、
前記蓋が前記ロック位置から前記解除位置にスライド移動された時に、このスライド方向側の端部を支点として前記蓋を回動させる回動機構を備え、
前記蓋は、前記一面内でスライド移動されるように、前記筺体によって保持され、
前記回動機構は、前記端部または前記筺体の一方に設けられ、前記蓋のスライド方向と直交するように配置された回動軸と、他方に設けられ、前記スライド方向に沿って形成され、前記回動軸の両端部と係合される２つの長穴とで構成され、
前記蓋の内面側に形成された突起と、前記筺体に形成され、前記蓋が前記ロック位置に移動された時に前記突起を係止し、前記解除位置に移動された時に前記突起から退避する係止突起とを備え、前記蓋が前記解除位置よりも前記ロック位置側にある状態で、前記蓋を前記開放位置から前記開口を覆う位置に移動させた時に前記突起と前記係止突起とが互いに当接する当接面が、前記回動軸側に行くに従って前記蓋との間隔が広がるように傾斜されていることを特徴とする蓋の開閉機構。
【請求項４】
前記回動軸側で前記開口に隣接する位置に設けられ、前記開口内に装填された装填物を係止する係止爪を備え、この係止爪は、前記開口の中心方向に向かって突出するように付勢され、前記開口から前記回動軸側に退避する方向にスライド可能にされていることを特徴とする請求項１ないし３のいずれか記載の蓋の開閉機構。
【請求項５】
前記蓋の内面側または前記筺体の一方に形成されたクリック突起と、他方に設けられ、前記前記蓋が前記ロック位置にある時に前記クリック突起を係止して前記蓋のスライド操作に抵抗を与え、この抵抗に打ち勝ってスライド操作が行われた時に前記クリック突起との係止を解除するとともに、前記蓋を前記開放位置に向けて付勢するクリック係止手段とを備えていることを特徴とする請求項１ないし４のいずれか記載の蓋の開閉機構。
【発明の詳細な説明】
【技術分野】
【０００１】
本発明は、筺体に回動自在に支持されている蓋が、筺体に形成された開口を覆う位置と、開口を露呈させる開放位置との間で回動する蓋の開閉機構に関するものである。
【背景技術】
【０００２】
近年、デジタルカメラ等の携帯可能な小型の電子機器が普及している。このような電子機器では、電源として、二次電池等の電池が使用されており、電池が機器本体内に装填されている。このため、前述のような電子機器には、電池を機器本体内に挿脱するために蓋が設けられている。
【０００３】
このような蓋の開閉機構として、筺体に形成された開口を覆う蓋を備え、この蓋が、この開口を覆うとともに筺体に係止されて回動が禁止されるロック位置と、筺体による係止が解除される解除位置との間でスライド操作され、この解除位置を経て開口を露呈させる開放位置に回動するものが知られている（例えば、特許文献１〜４参照）。これらの特許文献１〜４に記載されている蓋の開閉機構では、蓋を筺体の外側から突出する位置にスライドさせる機構と、蓋の回動を禁止するロック機構とを備えている。この蓋の開閉機構では、蓋を筺体の外側に突出するようにスライド移動させた時に、ロック機構によるロックが解除されて蓋が開放可能となる。
【特許文献１】特開平６−８９７１０号公報
【特許文献２】特開平１０−３８９３号公報
【特許文献３】特開２００３−１４２８４１号公報
【特許文献４】特開２００４−７９５４３号公報
【発明の開示】
【発明が解決しようとする課題】
【０００４】
しかしながら、上記特許文献１〜４に記載の蓋の開閉機構では、蓋が筺体の外側に突出するようにスライド移動されるため、筺体の２面に蓋の割りラインを形成する必要があり、筺体を構成するケース部材の加工が複雑となりコストが高くなるという問題や、ロック機構が筺体の角部に配置されるため、落下等の衝撃によってロック機構が壊れ易いという問題があった。
【０００５】
本発明は、上記事情に鑑みてなされたものであり、落下等で衝撃が加わっても壊れにくい蓋の開閉機構を低コストで提供することを目的とする。
【課題を解決するための手段】
【０００６】
上記課題を解決するために、本発明の蓋の開閉機構は、筺体の一面に形成された開口を覆うとともに前記筺体に係止されて回動が禁止されるロック位置と、前記筺体による係止が解除される解除位置との間でスライド操作され、前記解除位置を経て前記開口を露呈させる開放位置に回動する蓋の開閉機構であり、前記蓋が前記ロック位置から前記解除位置にスライド移動された時に、このスライド方向側の端部を支点として前記蓋を回動させる回動機構を備え、前記蓋は、前記一面内でスライド移動されるように、前記筺体によって保持され、前記回動機構は、前記端部または前記筺体の一方に設けられ、前記蓋のスライド方向と直交するように配置された回動軸と、他方に設けられ、前記スライド方向に沿って形成され、前記回動軸の両端部と係合される２つの長穴とで構成され、前記回動軸に挿通され、前記開口を覆う位置から前記開放位置に向けて前記蓋を付勢するトーションバネを備え、前記トーションバネの一端は、前記蓋の内面に当接され、他端は、前記筐体に当接され、前記蓋が前記ロック位置と前記解除位置との間で移動する時に、前記一端または前記他端が摺接する摺接面は、前記回動軸側に行くに従って前記蓋と前記保持部との間隔が広がるように傾斜されていることを特徴とするものである。また、前記蓋の内面側に形成された突起と、前記筺体に形成され、前記蓋が前記ロック位置に移動された時に前記突起を係止し、前記解除位置に移動された時に前記突起から退避する係止突起とを備え、前記蓋が前記解除位置よりも前記ロック位置側にある状態で、前記蓋を前記開放位置から前記開口を覆う位置に移動させた時に前記突起と前記係止突起とが互いに当接する当接面が、前記回動軸側に行くに従って前記蓋との間隔が広がるように傾斜されていることが好ましい。
【０００７】
本発明の別の蓋の開閉機構は、筺体の一面に形成された開口を覆うとともに前記筺体に係止されて回動が禁止されるロック位置と、前記筺体による係止が解除される解除位置との間でスライド操作され、前記解除位置を経て前記開口を露呈させる開放位置に回動する蓋の開閉機構であり、前記蓋が前記ロック位置から前記解除位置にスライド移動された時に、このスライド方向側の端部を支点として前記蓋を回動させる回動機構を備え、前記蓋は、前記一面内でスライド移動されるように、前記筺体によって保持され、前記回動機構は、前記端部または前記筺体の一方に設けられ、前記蓋のスライド方向と直交するように配置された回動軸と、他方に設けられ、前記スライド方向に沿って形成され、前記回動軸の両端部と係合される２つの長穴とで構成され、前記蓋の内面側に形成された突起と、前記筺体に形成され、前記蓋が前記ロック位置に移動された時に前記突起を係止し、前記解除位置に移動された時に前記突起から退避する係止突起とを備え、前記蓋が前記解除位置よりも前記ロック位置側にある状態で、前記蓋を前記開放位置から前記開口を覆う位置に移動させた時に前記突起と前記係止突起とが互いに当接する当接面が、前記回動軸側に行くに従って前記蓋との間隔が広がるように傾斜されていることを特徴とするものである。
【０００８】
さらに、前記回動軸側で前記開口に隣接する位置に設けられ、前記開口内に装填された装填物を係止する係止爪を備え、この係止爪は、前記開口の中心方向に向かって突出するように付勢され、前記開口から前記回動軸側に退避する方向にスライド可能にされていることが好ましい。
【０００９】
また、前記蓋の内面側または前記筺体の一方に形成されたクリック突起と、他方に設けられ、前記前記蓋が前記ロック位置にある時に前記クリック突起を係止して前記蓋のスライド操作に抵抗を与え、この抵抗に打ち勝ってスライド操作が行われた時に前記クリック突起との係止を解除するとともに、前記蓋を前記開放位置に向けて付勢するクリック係止手段とを備えていることが好ましい。
【発明の効果】
【００１２】
本発明の蓋の開閉機構によれば、蓋がロック位置から解除位置にスライド移動された時に、このスライド方向側の端部を支点として蓋を回動させる回動機構を備えているので、蓋を開放する際にスライド操作する方向の端部を支点として蓋が回動するため、操作性が良い。また、蓋は、一面内でスライド移動自在にされているので、蓋の開放を禁止するロック機構が筺体の角部に配置されることがないため、落下等によって筺体に衝撃が加わってもロック機構が破損する恐れ少ない。また、一面のみに蓋の割りラインを形成すれば良いので、筺体の加工が容易であり、製造コストを削減可能であるとともに、蓋の割りラインが一面のみに形成されるので、外観のデザインも向上する。
【００１３】
また、回動軸側で開口に隣接する位置に設けられ、開口内に装填された装填物を係止する係止爪を備え、この係止爪は、開口の中心方向に向かって突出するように付勢され、開口から回動軸側に退避する方向にスライド可能にされているので、蓋を開放する際にスライド移動される側に係止爪があり、操作方向も共通なので操作性が向上する。
【００１４】
さらに、クリック突起を係止して蓋のスライド操作に抵抗を与えるクリック係止手段を備えており、このクリック係止手段は、蓋のスライド操作が行われてクリック突起との係止が解除された時に、蓋を開放位置に向けて付勢する。このため、蓋が自動的に開放されるので操作性が向上する。
【００１５】
また、蓋が前記ロック位置と前記解除位置との間で移動する時に、トーションバネの一端または他端が摺接する摺接面は、回動軸側に行くに従って蓋と保持部との間隔が広がるように傾斜されているので、蓋を閉じる方向に力を作用させた時に、ロック位置側に移動する方向には力が作用しない。このため、蓋を解除位置側に向けて力を作用させる動作が必要なく、一回の動作で解除位置に蓋を移動させることができるので、操作性が向上する。
【００１６】
さらに、蓋が解除位置よりもロック位置側にある状態で、蓋を開放位置から開口を覆う位置に移動させた時に突起と係止突起とが互いに当接する当接面が、回動軸側に行くに従って蓋との間隔が広がるように傾斜されているので、突起と係止突起とが当接した後、さらに、蓋を閉じる方向に力を作用させると、蓋に対して解除位置側に移動する方向に力が作用し、蓋を解除位置側に向けて力を作用させる動作が必要ない。このため、一回の動作で解除位置に蓋を移動させることができるので、操作性が向上する。
【発明を実施するための最良の形態】
【００１７】
図１に示すデジタルカメラ１０は、略直方体形状の筺体であるカメラ本体１１内に各種撮影機構が組み込まれて構成されている。このカメラ本体１１は、フロントカバー１１ａと、リアカバー１１ｂとで構成されている。
【００１８】
カメラ本体１１の前面には、撮影レンズ１２が組み込まれたレンズ鏡筒１３と、被写体に向けてストロボ光を照射するストロボ発光部１４と、グリップ部１５とが設けられている。また、カメラ本体１１の上面には、撮影を行う時に押圧操作されるシャッタボタン１６と、モードを切り替える時に回転操作されるモードダイヤル１７と、電源をＯＮ／ＯＦＦする時に押圧操作される電源ボタン１８とが設けられている。さらに、カメラ本体１１の背面には、画像や各種設定画面を表示するＬＣＤ（図示せず）と、各種操作を行う時に操作され、複数のボタンで構成される操作部（図２参照）１９とが設けられている。
【００１９】
カメラ本体１１内には、各種撮影機構の他に、後述する収納ユニット（図３参照）３０が組み込まれており、フロントカバー１１ａとリアカバー１１ｂとによって挟持されている。カメラ本体１１の下面には、図２に示すように、収納ユニット３０を構成する蓋３１が設けられている。この蓋３１は、カメラ本体内１１内に装填される電池及びメモリカードを挿脱する際に開閉される。
【００２０】
本発明の蓋の開閉機構は、蓋３１と、この蓋３１を回動且つスライド自在に保持する保持部３２とによって構成されている。収納ユニット３０は、図３に示すように、略直方体形状の筺体であるユニット本体４０と、蓋３１とを備えて構成されており、ユニット本体４０には、カメラ本体１１内の各部を駆動する電源である電池（図３参照）４１と、画像データが記憶される記録メディアであるメモリカード（図３参照）４４が収納される。
【００２１】
前述の保持部３２は、ユニット本体４０の下部に形成された凹部である。この保持部３２は、図４に示すように、蓋３１の外形よりも大きく、蓋３１が保持部３２内で矢印Ａ方向にスライド移動できるようにスペースが形成されているので、蓋３１は、保持部３２によって、内壁面３２ａに隣接し、後述するロック機構によって回動が禁止されるロック位置（図４（Ａ）に示す位置）と、内壁面３２ｂに隣接し、ロック機構によるロックが解除される解除位置（図４（Ｂ）に示す位置）との間でスライド移動自在に保持されている。このため、蓋３１は、カメラ本体１１の下面に隣接する面よりも内側でスライド移動される。
【００２２】
また、蓋３１は、ロック位置から解除位置にスライド移動された時に、このスライド方向側の端部を支点として、回動機構によって回動される。この回動機構は、後述するように、回動軸５１と、長穴５２とで構成されている。以下に、この回動機構について説明する。
【００２３】
蓋３１には、一方の端部に回動軸５１が設けられている。また、保持部３２には、内壁面３２ｂに隣接する側壁に、蓋３１のスライド方向（矢印Ａ方向）に沿って２つの長穴５２が形成されている。回動軸５１の両端は、２つの長穴５２と係合され、蓋３１は、保持部３２によって、矢印Ａ方向にスライド自在、且つ矢印Ｂ方向に回動自在に保持されている。
【００２４】
保持部３２には、蓋３１が閉じられた時に蓋３１の内面３１ａと対向する対向面３２ｃに、電池４１をユニット本体４０内の電池室４２に挿入するための開口である電池挿入口４３と、メモリカード４４を挿入するため開口であるカード挿入口４５とが形成されている。また、回動軸５１側で電池挿入口４３に隣接する位置には、電池４１が電池室から脱落するのを防止するための係止爪４６が設けられている。この係止爪４６は、板バネ４７の先端に固定されており、蓋３１のスライド方向（矢印Ａ方向）に移動自在にされている。
【００２５】
蓋３１は、ロック位置（図４（Ａ）に示す位置）においてロック機構によって回動が禁止されている。このロック機構は、後述するように、突起と、この突起を係止する係止孔及び係止突起とによって構成されている。以下に、このロック機構について説明する。
【００２６】
蓋３１の外周部には、３つの突起５４〜５６が形成されている。突起５４は、蓋３１が、ロック位置（図４（Ａ）に示す位置）にある場合、保持部３２の内壁面３２ａに形成された係止孔６１に挿入されて係止され、蓋３１の回動が禁止される。また、蓋３１が、解除位置（図４（Ｂ）に示す位置）に移動されると、係止孔６１から突起５４が退避して、係止孔６１による係止が解除されて蓋３１の回動が可能となる。
【００２７】
また、突起５５は、蓋３１が、ロック位置（図４（Ａ）に示す位置）にある場合、保持部の内壁面３２ｄに形成された係止突起（図示せず）によって係止され、蓋３１の回動が禁止される。また、蓋３１が、解除位置（図４（Ｂ）に示す位置）に移動されると、突起５５が、この係止突起から退避して係止が解除されて、蓋３１の回動が可能となる。
【００２８】
保持部３２の対向面３２ｃには、突起５６に対応する位置に、図５に示すように、係止突起６２及び開口６３が形成されている。蓋３１が、ロック位置（図４（Ａ）に示す位置）にある場合、突起５６は、図５（Ａ）に示すように、係止突起６２によって係止されており、蓋３１の回動が禁止される。また、蓋３１が、解除位置（図４（Ｂ）に示す位置）に移動されると、突起５６は、図５（Ｂ）に示すように、開口６３側に退避して、係止突起６２による係止が解除されて、蓋３１の回動が可能となる。
【００２９】
また、図３に示すように、突起５６は、突起５４，５５と比べて支点（回動軸５１）に近い位置に配置されており、回動軸５１が長穴５２内で解除位置よりもロック位置側にある状態（例えば、図５（Ｃ）に示す状態）場合で蓋３１を閉じる方向に回動させると、最初に突起５６と係止突起６２とが当接する。
【００３０】
これらが互いに当接する当接面５６ａ，６２ａは、蓋３１を閉じる方向に力を作用させた時に、蓋に対して矢印Ｃ方向に力が作用するように、それぞれ斜面で形成されている。すなわち、係止突起６２の当接面６２ａは、回動軸５１側に行くにしたがって蓋３１との間隔が広くなるように傾斜されており、突起５６の当接面５６ａは、当接面６２ａと当接した時に略平行となるように傾斜されている。このため、図５（Ｃ）に示す状態で蓋３１を閉じる場合、矢印Ｄ方向に力が作用して、蓋３１は、図５（Ｂ）に示す解除位置に移動する。
【００３１】
また、前述の回動軸５１には、トーションバネ５３が挿通されている。このトーションバネ５３の一端５３ａは、蓋３１の裏面３１ａに当接されており、他端５３ｂは、対向面３２ｃと当接されている。このため、蓋３１は、トーションバネ５３によって、図３に示す開放位置に向けて付勢されている。
【００３２】
このため、蓋３１が、ロック位置（図４（Ａ）に示す位置）から解除位置（図４（Ｂ）に示す位置）にスライド移動されると、蓋３１は、図６（Ａ）に示す位置から図６（Ｂ）に示す位置に移動し、トーションバネ５３の付勢力によって図６（Ｃ）に示す位置に回動する。
【００３３】
また、回動軸５１が長穴５２に対して、図６（Ａ）に示す位置と図６（Ｂ）に示す位置との間で移動する際に、トーションバネ５３の他端５３ｂは、対向面３２ｃと摺接する。この対向面３２ｃのうち、他端５３ｂと摺接する範囲は、内壁面３２ｂ側に行くにしたがって蓋３１との距離が広がる方向に傾斜された斜面３２ｅで形成されている。さらに、この他端５３ｂは、この斜面３２ｅと摺接する際に、斜面３２ｅに引っかかることを防止するために、図３に示すように、先端が円弧状に湾曲されている。
【００３４】
トーションバネ５３の他端５３ｂと摺接する面が平坦の場合、蓋３１を閉める方向（矢印Ｄ方向）に回動させると、蓋３１に対してロック位置（図４（Ａ）に示す位置）に移動する方向に力が作用する。このため、ユーザは、蓋３１を閉める方向に動作と、解除位置（図４（Ｂ）に示す位置）に移動させる動作との２つの動作を行う必要がある。しかし、前述のように、他端５３ｂと摺接する範囲を斜面３２ｅで形成すると、図６（Ｃ）に示すように、蓋を閉じる方向（矢印Ｃ方向）に回動させる時に、斜面３２ｅによって、蓋３１に対してロック位置（図４（Ａ）に示す位置）に移動する方向に力が作用せずに、図６（Ｂ）に示す位置に移動する。
【００３５】
次に、クリック機構について説明する。このクリック機構は、後述するように、クリック突起５７と、クリック係止手段であるクリックプレート６６とで構成されている。以下に、このクリック機構について説明する。
【００３６】
対向面３２ｃには、開口６５が形成されており、この開口６５から対向面３２ｃ側に突出するようにクリックプレート６６が配置されている。このクリックプレート６６は、板バネであり、先端部には、図７に示すように、蓋側に円弧状に湾曲された湾曲部６６ａが形成されている。また、後端部は、屈曲されており、この開口６５よりも回動軸５１側で、対向面３２ｃの裏面に固定されている。さらに、蓋３１の内面３１ａには、クリック突起５７が形成されている。
【００３７】
クリック突起５７は、蓋３１がロック位置（図４（Ａ）に示す位置）にある時に、図７（Ａ）に示すように、湾曲部６６ａの先端の回動軸５１側に隣接する位置に配置されており、この湾曲部６６ａによって係止されている。このため、蓋３１を解除位置（図４（Ａ）に示す位置）に向けてスライド操作する時に抵抗を与える。この抵抗に打ち勝ってスライド操作されると、クリックプレート６６の弾性変形によって、湾曲部６６ａが上方（開口６５側）に移動して係止が解除され、図７（Ｂ）に示すように、湾曲部６６ａは、クリック突起５７の上部（開口６５側）に当接する。この時、クリックプレート６６の復元力によって、蓋３１が、図６（Ｃ）に示す開放位置に向けて付勢されて回動する。
【００３８】
次に、上記構成の収納ユニット３０の作用を説明する。ユーザが、カメラ本体１１内に電池４１やメモリカード４４を装填する場合、または、これらをカメラ本体１１から取り出す場合、収納ユニット３０の蓋３１を開放する。
【００３９】
蓋３１は、ロック位置（図４（Ａ）に示す位置）において前述のロック機構によって回動が禁止されている。このため、蓋３１は、ロック位置（図４（Ａ）に示す位置）から解除位置（図４（Ｂ）に示す位置）にスライド操作される。
【００４０】
また、蓋３１がロック位置（図４（Ａ）に示す位置）にある場合、図７（Ａ）に示すように、クリックプレート６６の湾曲部６６ａによってクリック突起５７が係止されており、この抵抗に打ち勝って、蓋３１がスライド操作される。蓋３１が解除位置（図４（Ｂ）に示す位置）に移動されると、図７（Ｃ）に示すように、クリックプレート６６が弾性変形して、湾曲部６６ａがクリック突起５７によって上方（開口６５側）に移動される。
【００４１】
湾曲部６６ａが上方に移動されると、クリックプレート６６の復元力によって、蓋３１が、図７（Ｃ）に示す開放位置に向けて付勢される。この時、蓋３１は、トーションバネ５３にも開放位置に付勢されており、蓋３１は、これらの付勢力によって、図３に示す開放位置に回動して、電池挿入口４３及びカード挿入口４５が露呈される。
【００４２】
その後、電池４１やメモリカード４４の装填または取り出しが行われる。なお、電池４１を装填する場合、係止爪４６を電池挿入口４３よりも外側に移動させた状態で電池４１を挿入する。また、電池４１を取り出す場合も同様に、電池挿入口４３よりも外側に係止爪４６を移動させて行う。なお、係止爪４６は、蓋３１を開放する際にスライド移動される側（回動軸５１側）に設けられており、動作させる方向が共通なので操作性が良い。
【００４３】
蓋３１を閉じる場合、開放位置（図６（Ｃ）及び図７（Ｃ）に示す位置）にある蓋３１に対して、矢印Ｄ方向に力を作用させる。この時、トーションバネ５３の他端５３ｂは、斜面３２ｅと当接されており、ロック位置（図４（Ａ）に示す位置）側に移動する方向には力が作用しない。このため、蓋３１に矢印Ｃ方向に力を作用させるだけで、蓋３１が解除位置（図４（Ｂ）に示す位置）に移動する。このため、蓋３１を解除位置（図４に示す位置）側に向けて力を作用させる動作が必要なく、一回の動作で解除位置（図４に示す位置）に蓋３１を移動させることができる。
【００４４】
また、回動軸５１が解除位置（図５（Ｂ）に示す位置）よりもロック位置（図５（Ａ）に示す位置）側にある状態で、蓋３１に対して閉じる方向に力を作用させた場合、突起５６と係止突起６２とが互いに当接した時に、さらに、蓋３１に対して閉じる方向に力を作用させると、蓋３１に対して矢印Ｃ方向に力が作用して、蓋３１が解除位置に移動する。このため、このため、閉じる方向（矢印Ｄ方向）に力を作用させる動作のみで、蓋３１を解除位置に移動させることができる。
【００４５】
その後、蓋３１を解除位置（図４（Ｂ）に示す位置）からロック位置（図４（Ａ）に示す位置）に移動させると、蓋３１が保持部３２のロック機構によって係止され、蓋３１の回動が禁止される。前述したように、蓋３１を閉める際に、蓋３１に対して、閉める方向（矢印Ｃ方向）に力を作用させる動作のみで、蓋３１を解除位置（図４（Ｂ）に示す位置）に蓋３１を移動させることができるので、蓋３１を閉じる際の操作性が向上する。
【００４６】
また、前述したように、蓋３１は収納部３２内でのみ移動され、この収納部３２は、カメラ本体１１の下面内に設けられている。このため、蓋３１は下面に隣接する側面よりも内側のみで移動するので、蓋３１のロック機構がカメラ本体１１の角部に配置されることがない。このため、落下等によってカメラ本体１１の角部に衝撃が加わってもロック機構が破損する恐れがない。
【００４７】
また、側面よりも外側に蓋３１がスライド移動する構成の場合、下面と側面の２面に蓋の割りラインが形成されるが、本発明のように、下面に隣接する側面よりも内側のみで蓋３１が移動する構成の場合、下面のみに蓋の割りラインを形成すれば良いので、カメラ本体１１を構成するカバー部材の加工が容易となり、製造コストを削減可能であり、さらに、美観も向上する。
【００４８】
なお、上記実施形態において、回動機構が、蓋に設けられた回動軸と、保持部に形成された長穴とで構成される場合を例に説明したが、これに限るものではなく、回動軸を保持部に設け、長穴を蓋に形成して回動機構を構成しても良い。この場合、蓋がロック位置と解除位置との間で移動される時に、トーションバネの端部が蓋の内面と摺接するので、この摺接面を斜面で形成すれば良い。
【００４９】
また、上記実施形態において、クリック機構が、保持部に設けられたクリックプレートと、蓋の内面に形成されたクリック突起とで構成される場合を例に説明したが、これに限るものではなく、クリックプレートを蓋の内面に設け、クリック突起を保持部に設けても良い。
【００５０】
さらに、上記実施形態において、収納ユニットの収納部をカメラ本体の下面内に配置する場合を例に説明したが、これに限るものではなく、収納部をカメラ本体の下面に一体に設けても良い。
【００５１】
また、上記実施形態において、蓋をカメラ本体の下面に設けた場合を例に説明したが、これに限るものではなく、上面や側面等のいずれの面に設けても良い。さらに、蓋のスライド方向や回動方向は、本実施形態に限るものではなく、適宜変更可能である。
【００５２】
さらに、上記実施形態において、デジタルカメラを例に説明したが、これに限るものではなく、蓋の必要な機器であれば本発明を適用可能である。
【図面の簡単な説明】
【００５３】
【図１】デジタルカメラの前面側の構成を示す斜視図である。
【図２】デジタルカメラの下面側の構成を示す平面図である。
【図３】収納ユニットの構成を示す斜視図である。
【図４】収納ユニットの下面側の構成を示す平面図であり、ロック位置及び解除位置に蓋がスライド移動された場合を示している。
【図５】収納ユニットの構成を示す断面図であり、ロック機構である突起及び係止突起の構成及び作用を示している。
【図６】収納ユニットの構成を示す断面図であり、トーションバネの構成及び作用を示している。
【図７】収納ユニットの構成を示す断面図であり、クリック機構の構成及び作用を示している。
【符号の説明】
【００５４】
１０  デジタルカメラ
１１  カメラ本体
１１ａ  フロントカバー
１１ｂ  リアカバー
３０  収納ユニット
３１  蓋
３２  保持部
４１  電池
４３  電池挿入口
４６  係止爪
５２  回動軸
５４〜５６  突起
５３  トーションバネ
５７  クリック突起
６１  係止孔
６２  係止突起
６６  クリックプレート
【図１】
0004499047.tif 000002
【図２】
0004499047.tif 000003
【図３】
0004499047.tif 000004
【図４】
0004499047.tif 000005
【図５】
0004499047.tif 000006
【図６】
0004499047.tif 000007
【図７】
0004499047.tif 000008